(57)【要約】【課題】図形を手書き入力して表示するに際し、ユーザが図形の書式を調整する手間を省くことが可能な手書き図形認識装置を提供する。【解決手段】手書き図形認識装置１は、手書き入力された手書きデータを図形認識する図形認識部１５と、表示部（表示パネル２３）と、図形認識部１５で図形認識可能な複数の図形種類のそれぞれに対して、図形種類に属する図形を表示する際の表示形態を示す表示形態情報を記憶した記憶部（設定記憶部１９）と、手書きデータに対して図形認識部１５で図形認識された図形の図形種類に対応する、設定記憶部１９に記憶された表示形態情報を読み出し、図形認識部１５で図形認識された図形を表示形態情報が示す表示形態で表示パネル２３に表示させる表示制御部と、を備える。【選択図】図１
2014029571.tif 000002
【特許請求の範囲】
【請求項１】
手書き入力された手書きデータを図形認識する図形認識部と、表示部とを備えた手書き図形認識装置であって、
前記図形認識部で図形認識可能な複数の図形種類のそれぞれに対して、前記図形種類に属する図形を表示する際の表示形態を示す表示形態情報を記憶した記憶部と、
前記手書きデータに対して前記図形認識部で図形認識された図形の前記図形種類に対応する、前記記憶部に記憶された前記表示形態情報を読み出し、前記図形認識部で図形認識された図形を前記表示形態情報が示す表示形態で前記表示部に表示させる表示制御部と、
をさらに備えたことを特徴とする手書き図形認識装置。
【請求項２】
前記表示部に表示された図形に対して表示形態の変更を行うユーザ操作を受け付け、該ユーザ操作に従って前記表示部における表示形態の変更を行う表示形態変更部と、
該表示形態変更部による表示形態の変更を、変更対象の図形種類に対応して前記記憶部に記憶されている前記表示形態情報に反映させる反映部と、
をさらに備えたことを特徴とする請求項１に記載の手書き図形認識装置。
【請求項３】
前記表示形態を示す情報は、図形を描画する線種、線色、塗りつぶし色のいずれか１又は複数を示す情報であることを特徴とする請求項１又は２に記載の手書き図形認識装置。
【請求項４】
手書き入力された手書きデータを図形認識し、表示機器に表示する手書き図形認識方法であって、
記憶部が、前記図形認識が可能な複数の図形種類のそれぞれに対して、前記図形種類に属する図形を表示する際の表示形態を示す表示形態情報を記憶するステップと、
図形認識部が、前記手書きデータを図形認識するステップと、
表示制御部が、前記手書きデータに対して図形認識された図形の前記図形種類に対応する、前記記憶部に記憶された前記表示形態情報を読み出し、前記図形認識された図形を前記表示形態情報が示す表示形態で前記表示機器に表示させるステップと、
を有することを特徴とする手書き図形認識方法。
【発明の詳細な説明】
【技術分野】
【０００１】
本発明は、手書き入力された図形を表示させる手書き図形認識装置及び手書き図形認識方法に関する。
【背景技術】
【０００２】
従来から、手書き入力された図形を認識し、綺麗な図形に変換する技術が知られている（例えば、特許文献１を参照）。より具体的には、特許文献１には、文字あるいは図形等を入力する入力デバイス及び入力された文字あるいは図形等を表示する表示部を有する携帯端末装置と、外部装置とから構成される携帯端末通信システムが開示されている。
【０００３】
ここで、携帯端末装置では、入力された図形データに対応したベクトルデータ及びイメージデータの双方を取り込み、そのベクトルデータとイメージデータを外部装置に送信する。外部装置では、携帯端末装置から受信したデータに基づき図形認識を実行することで綺麗な図形データに変換し、その図形データを携帯端末装置に送信し、携帯端末装置ではこの図形データを受信して表示部に表示する。
【先行技術文献】
【特許文献】
【０００４】
【特許文献１】特開平１１−２７２７９７号公報
【発明の概要】
【発明が解決しようとする課題】
【０００５】
しかしながら、特許文献１に記載のシステムでは、認識した後の図形の書式については考慮されておらず、実際の利用状況に鑑みた場合、認識後の図形に対して都度書式（線種／塗りつぶし色／線の太さ等々）を調整する手間が生じ、この点でユーザの利便性を損なう。
【０００６】
本発明は、上述のような実状に鑑みてなされたものであり、その目的は、図形を手書き入力して表示するに際し、ユーザが図形の書式を調整する手間を省くことが可能な手書き図形認識装置及び手書き図形認識方法を提供することにある。
【課題を解決するための手段】
【０００７】
上記の課題を解決するために、本発明の第１の技術手段は、手書き入力された手書きデータを図形認識する図形認識部と、表示部とを備えた手書き図形認識装置であって、前記図形認識部で図形認識可能な複数の図形種類のそれぞれに対して、前記図形種類に属する図形を表示する際の表示形態を示す表示形態情報を記憶した記憶部と、前記手書きデータに対して前記図形認識部で図形認識された図形の前記図形種類に対応する、前記記憶部に記憶された前記表示形態情報を読み出し、前記図形認識部で図形認識された図形を前記表示形態情報が示す表示形態で前記表示部に表示させる表示制御部と、をさらに備えたことを特徴としたものである。
【０００８】
本発明の第２の技術手段は、第１の技術手段において、前記表示部に表示された図形に対して表示形態の変更を行うユーザ操作を受け付け、該ユーザ操作に従って前記表示部における表示形態の変更を行う表示形態変更部と、該表示形態変更部による表示形態の変更を、変更対象の図形種類に対応して前記記憶部に記憶されている前記表示形態情報に反映させる反映部と、をさらに備えたことを特徴としたものである。
【０００９】
本発明の第３の技術手段は、第１又は第２の技術手段において、前記表示形態を示す情報は、図形を描画する線種、線色、塗りつぶし色のいずれか１又は複数を示す情報であることを特徴としたものである。
【００１０】
本発明の第４の技術手段は、手書き入力された手書きデータを図形認識し、表示機器に表示する手書き図形認識方法であって、記憶部が、前記図形認識が可能な複数の図形種類のそれぞれに対して、前記図形種類に属する図形を表示する際の表示形態を示す表示形態情報を記憶するステップと、図形認識部が、前記手書きデータを図形認識するステップと、表示制御部が、前記手書きデータに対して図形認識された図形の前記図形種類に対応する、前記記憶部に記憶された前記表示形態情報を読み出し、前記図形認識された図形を前記表示形態情報が示す表示形態で前記表示機器に表示させるステップと、を有することを特徴としたものである。
【発明の効果】
【００１１】
本発明によれば、図形を手書き入力して表示するに際し、認識後の図形に対してその認識結果によって適宜その書式が自動的に設定されるため、従来の方式に比べてユーザが図形の書式を調整する手間を省くことができる。
【図面の簡単な説明】
【００１２】
【図１】本発明に係る手書き図形認識装置の一構成例を示すブロック図である。
【図２】従来の手書き図形認識処理を説明するための具体例を示す図である。
【図３】本発明の手書き図形認識処理を説明するための具体例を示す図である。
【図４】図１の手書き図形認識装置における処理例を説明するためのフロー図である。
【図５】図４に続くフロー図である。
【発明を実施するための形態】
【００１３】
本発明に係る手書き図形認識装置は、手書き入力された手書きデータ（筆跡データ、あるいは描画データとも言う）を図形認識して表示する装置であり、例えば、汎用コンピュータ、タブレット端末、携帯電話機（スマートフォンと呼ばれるものも含む）、複合機などに組み込むことができる。以下、図１を参照しながら、本発明に係る手書き図形認識装置の一構成例について、手書き図形を認識する機能を備えたタッチディスプレイ装置を挙げて説明するが、無論、本発明はこの構成例に限定されるものではない。
【００１４】
図１は、本発明に係る手書き図形認識装置の一構成例を示すブロック図である。
図１で例示する手書き図形認識装置（タッチディスプレイ装置）１は、その全体を制御する制御部１０の他に、タッチパネル２１、タッチパネル制御部２２、表示部の一例である表示パネル２３、及び表示パネル制御部２４を備える。
【００１５】
制御部１０は、手書き図形認識装置１の全体を制御するため、ＣＰＵ（Central Processing Unit）又はＭＰＵ（Micro Processing Unit）、作業領域としてのＲＡＭ（Random Access Memory）、及び制御プログラム（本発明に係る手書き図形認識処理を行うプログラムを含む）を記憶した記憶装置などの制御デバイスで構成される。また、この記憶装置としては、フラッシュＲＯＭ（Read Only Memory）、ＥＥＰＲＯＭ（Electrically Erasable and Programmable  ＲＯＭ）、ハードディスク等が挙げられる。無論、制御部１０の一部又は全部を専用のハードウェアで構成することもできる。制御部１０内の各部については後述する。
【００１６】
表示パネル２３は、液晶ディスプレイ、有機ＥＬ（electroluminescence）ディスプレイなどのパネルにて構成され、手書き入力された筆跡を描画表示、認識された図形を表示するためのものである。表示パネル制御部２４は、表示パネル２３を駆動するための信号を供給するもので、制御部１０からの映像信号に応じて、表示パネル２３を駆動する。
【００１７】
タッチパネル２１は、表示パネル２３上に設けられており、例えば、各辺から照射される赤外線が遮断されることにより入力を検出すると共に、入力された位置を取得することが可能である。タッチパネル２１としては、上述以外に静電容量方式、カメラ方式、抵抗膜方式、超音波方式等の方式を採用することも可能である。タッチパネル制御部２２は、タッチパネル２１を駆動し、タッチパネル２１からの出力信号を取得し制御部１０に出力する。
【００１８】
なお、タッチパネル２１の代わりとしては、例えば、スタイラスペン等で押下された座標を入力する手書きタブレット、あるいは搭載されたボタンが押下された時点での座標を入力するポインティングデバイス（マウス）やその座標入力を行うためのタッチパッド、あるいはデジタルペンなどを採用することもできる。
【００１９】
制御部１０における各部について説明する。制御部１０は、入力検出部１１、座標検出部１２、描画表示部１３、モード選択部１４、図形認識部１５、図形判定部１６、描画記憶部１７、図形記憶部１８、及び設定記憶部１９を有する。
【００２０】
入力検出部１１は、タッチパネル２１に対する入力を検出する。座標検出部１２は、入力検出部１１にて入力を検出することによりタッチパネル２１に対する入力の位置を座標として検出する。
【００２１】
描画記憶部１７は、座標検出部１２にて検出した座標から描画に用いる描画座標のデータ（つまり手書き入力データ）を記憶し、描画表示部１３は、座標検出部１２にて検出した座標に対応する表示パネル２３上の座標に描画の表示を行うように、描画記憶部１７から描画座標を読み出し、表示パネル制御部２４に表示の指示を行う。この指示に基づき、表示パネル制御部２４は、手書き入力された筆跡を表示パネル２３に描画表示させることが可能になっている。
【００２２】
モード選択部１４は、入力モードとして図形認識を行うモード（図形認識モード）、描画を行うモード（描画モード）等のモードを選択するユーザ操作を受け付け、そのユーザ操作に従いモードを切り替える。ユーザ操作自体はタッチパネル２１又は別途設けた操作部で行えばよい。描画モードの場合には、上述のように手書き入力された筆跡を表示パネル２３に描画表示する。
【００２３】
図形認識部１５は、手書き入力された手書きデータを図形認識する。この例では、図形認識部１５は、タッチパネル２１上で手書き入力された手書きデータに対して図形認識を行う。図形認識部１５は、入力された手書きデータに対し、予め格納された図形（図形パターン）に合致するか否かを判定することにより、図形認識を行い、合致した場合にその図形を認識結果とする。図形認識処理自体は、特許文献１に記載の技術をはじめとする従来の技術を適用すればよい。
【００２４】
図形記憶部１８は、図形認識部１５にて認識された図形、その図形の種類、その図形の表示位置（大きさや回転角も含む）や表示形態を記憶する。ここで記憶されたデータは、図形認識結果としてのデータである。なお、図形の種類や表示形態については、次の設定記憶部１９に格納された表示形態情報で決まり、その決まった表示形態が図形記憶部１８に記憶される。
【００２５】
本発明の主たる特徴の一つとして、手書き図形認識装置１は、図形認識部１５で図形認識可能な複数の図形種類のそれぞれに対して、図形種類に属する図形を表示する際の表示形態を示す表示形態情報を記憶した記憶部を備える。表示形態情報は、表示設定のための情報と言えるため、この記憶部を、制御部１０内の設定記憶部１９として例示している。
【００２６】
ここで、表示形態とは主に表示の書式を指し、図形を描画する線種、線色、塗りつぶし色のいずれか１又は複数を示す情報であることが好ましい。また、表示形態情報は、予め格納された全ての図形（図形パターン）のうち、１又は複数の図形パターンを１つの図形種類として、その図形種類毎に記憶しておく。このように、設定記憶部１９は、図形認識可能な図形種類毎に線種、線色、塗り等の表示形態を示す表示形態情報を記憶するが、図形種類と表示形態情報とを関連付けたテーブルとして記憶しておくことが好ましい。また、設定記憶部１９では、モード選択部１４で受け付けたモード選択結果も記憶しておく。
【００２７】
また、本発明の主たる特徴の一つとして、手書き図形認識装置１は、次の表示制御部を備える。この表示制御部は、手書きデータの入力がなされた後、その手書きデータに対して図形認識部１５で図形認識された図形の図形種類に対応する、設定記憶部１９に記憶された表示形態情報を読み出し、図形認識部１５で図形認識された図形を表示形態情報が示す表示形態で表示パネル２３に表示させる。
【００２８】
図１ではこの表示制御部を、上記の読み出しのための図形判定部１６と表示制御のための表示パネル制御部２４とで例示している。図形判定部１６は、図形認識部１５にて認識された図形を図形記憶部１８から読み出し、その図形がどの図形種類に属するかを判定し、その判定結果に基づき設定記憶部１９から表示形態情報を読み出す。なお、モード選択部１４を備えた形態においては、図形認識モードである場合にこのような表示制御を行う。
【００２９】
図形判定部１６は、対象となっている図形に関連付けてその表示形態情報を図形記憶部１８に記憶させると共に、表示パネル制御部２４に対象となっている図形をその表示形態情報が示す表示形態で表示するように指示する。表示パネル制御部２４は、この指示に従って、図形認識された図形を表示形態情報が示す表示形態で表示パネル２３に表示させる。
【００３０】
次に、図２及び図３を参照し、本発明の手書き認識処理の効果について、従来の手書き図形認識処理と比較しながら説明する。図２は、従来の手書き図形認識処理を説明するための具体例を示す図で、図３は、本発明の手書き図形認識処理を説明するための具体例を示す図である。
【００３１】
従来の図形認識結果を表示した表示例では、まず図２の画像３１のように手書き描画にて手書き入力がなされると、図形認識を実行して手書き入力された図形がどの図形であるかが認識できた段階で、図２の画像３２のように正規化した図形（清書した図形）が表示される。このとき、画像３２では、認識された全ての図形に対して同じ条件（この例では、実線、黒、白抜き）で表示され、その後、ユーザが図形を個々に選択して線種、線色等を編集により変更して、図２の画像３３を作成する必要がある。この例における画像３３は、だ円の線種が破線になっており、三角形が所定色で塗りつぶしされている。
【００３２】
これに対し、本発明の図形認識結果を表示した表示例は、図３の画像３１のように手書き入力がなされると、図形認識を実行すると共に、正規化した図形が表示されるが、そのとき、認識結果の図形に対応する表示形態情報に基づき（表示形態情報が示す書式設定に基づき）自動的に図３の画像３３のように表示される。つまり、本発明では、図形認識に伴い、自動図形編集として、図形を正規化する変換及び書式変換を実行している。
【００３３】
このように、本発明に係る手書き図形認識装置１は、予め図形種類毎に表示形態情報（書式設定値）を記憶しておくことで、図形の形状を自動で認識した結果に応じて図形の書式を自動的に変更させて表示することができる。すなわち、本発明によれば、図形を手書き入力して表示するに際し、ユーザからの明示的指示を受けることなく、ユーザが適用する可能性が高い書式変更を図形認識した時点で自動的に適用することが可能になる。これにより、本発明では、従来の方式に比べてユーザが図形の書式設定を調整（変更）する手間を省くことができる。
【００３４】
ここで、図形認識モードでは、手書き入力の筆跡自体は表示しなくてもよいが、手書き入力時にはどのように描画がされているかをユーザに示しておくことが好ましい。そのため、手書き入力による座標検出の時間間隔が所定時間空いた時点で、図形認識及び自動図形編集を実行するか、もしくは、図形認識自体は図形認識モードでの手書き入力中、常に行っておき、上記所定時間空いた時点で自動図形編集だけを実行すればよい。もしくは、一操作加わることになるが、手書き入力時には描画状態を示しておき、別途ソフトウェアキー又はハードウェアキーとして設けた図形変換ボタン（図形編集ボタン）の押下を検出することにより図形を変換（正規化及び書式変更）するようにしてもよい。
【００３５】
また、手書き図形認識装置１は、次のような表示形態変更部及び反映部を備えることが好ましい。上記の表示形態変更部は、表示パネル２３に表示された図形に対して表示形態の変更を行うユーザ操作を受け付け、そのユーザ操作に従って表示パネル２３における表示形態の変更を行う。ユーザ操作自体はタッチパネル２１又は別途設けた操作部で行えばよい。また、この表示形態変更部は、対象となっている図形に関連付けて変更後の表示形態情報を図形記憶部１８に記憶させる処理も行う。
【００３６】
上記の反映部は、表示形態変更部による表示形態の変更を、変更対象の図形種類に対応して設定記憶部１９に記憶されている表示形態情報に反映させる。反映部は、表示形態情報の更新するための更新部とも言える。なお、上記の表示形態変更部及び反映部については、図示しないが、制御部１０に設ければよく、反映部は設定記憶部の一部として設けてもよい。
【００３７】
この形態における手書き図形認識装置１は、図形種類毎にユーザが最後に指定した書式設定値（表示形態情報）を記憶しておくことで、図形の形状を自動で認識した結果に応じて自動的に図形の書式を、ユーザが最後に指定した書式設定値に合わせて変更させて表示することができる。
【００３８】
次に、図４及び図５を参照しながら、手書き図形認識装置１の処理例を説明する。図４は、図１の手書き図形認識装置における処理例を説明するためのフロー図で、図５は、図４に続くフロー図である。ここで説明する処理は、上記の制御部１０の各部が主体となって実行するものである。
【００３９】
まず、ステップＳ１にて、手書き描画を図形認識して表示する図形認識モードが選択されているか否かを判定する。図形認識モードは、表示パネル２３に表示された図示しないアイコン等をユーザが選択し、その選択結果をモード選択部１４が受けることで決定され、選択結果は設定記憶部１９に記憶されているため、それを読み出せばよい。ステップＳ１にて図形認識モードであると判定した場合にはステップＳ２へと進み、図形認識モードではないと判定した場合にはステップＳ１２へと進む。
【００４０】
ステップＳ２では、表示パネル２３に対するペン入力をタッチパネル２１により検出したかを判定し、ペン入力が検出された場合にはステップＳ３へと進み、検出されなかった場合には、検出されるまで、判定を繰り返す。ここでは、説明を省略するが、ペン入力の検出後、図形認識モード以外のモードが選択されたか否かを判定する処理を加えてよい。
【００４１】
ステップＳ２にてペン入力が検出されると、ステップＳ３にてペン入力された座標位置に対して描画表示を行う。この処理を、ステップＳ４にてペン入力の終了が検出されるまで繰り返す。ペン入力は、上述したようにペン入力による座標検出の時間間隔が所定時間空いた時点で終了とみなすなどすればよい。
【００４２】
ステップＳ５では、図形認識部１５が、ペンにより入力された座標の集合体の手書きデータを図形認識し、最も類似した図形（図形パターン）を特定する。ここでは、図形パターン又は手書きデータを拡大、縮小、回転などしながら図形パターンを特定すればよい。ステップＳ６では、図形判定部１６がステップＳ５にて認識した図形の種類を判定する。ここでは、四角形、三角形、円／だ円の３種類の例を示すが、台形、菱形等の図形を追加してもよい。また、例えば、円とだ円とを別の図形種類として取り扱ってもよい。
【００４３】
ステップＳ６にて図形の種類が四角形であると判定した場合は、ステップＳ７へと進む。ステップＳ７では、図形判定部１６が、四角形に対するテーブルに記憶されている表示形態情報（線種、線色、塗り）を読み取る。ステップＳ６にて図形の種類が三角形であると判定した場合は、ステップＳ８へと進む。ステップＳ８では、図形判定部１６が三角形に対するテーブルに記憶されている表示形態情報を読み取る。ステップＳ６にて図形の種類が円／だ円であると判定した場合は、ステップＳ９へと進む。ステップＳ９では、図形判定部１６が、円／だ円に対するテーブルに記憶されている表示形態情報を読み取る。
【００４４】
なお、図形種類と表示形態情報との関連付けが１つのテーブルでなされていた場合には、ステップＳ７ではそのテーブルから四角形に対応する表示形態情報を、ステップＳ８ではそのテーブルから三角形に対応する表示形態情報を、ステップＳ９ではそのテーブルから円／だ円に対応する表示形態情報を読み出せばよい。
【００４５】
ステップＳ１０では、図形判定部１６が、描画記憶部１７から図形認識に用いたペン入力により描画された筆跡のデータである手書き入力データを消去すると共に、ステップＳ１１にてステップＳ５にて認識した図形をステップＳ７〜Ｓ９にて読み取った表示形態情報にて表示する指示を表示パネル制御部２４に行い、表示パネル２３に表示させる。また、図形判定部１６では、手書き入力データの消去だけでなく、図形記憶部１８にここで表示させている表示形態になるように図形のデータを記憶する。
【００４６】
一方で、ステップＳ１にて図形認識モードではないと判定した場合には、ステップＳ１２にて表示パネル２３に表示された図形が選択されているか否かを判定する。ステップＳ１２にてＮＯの場合、つまり図形の選択ではないペン入力である場合には、ステップＳ１３にてその座標に描画を行う。
【００４７】
ステップＳ１２にてＹＥＳの場合、つまり図形の選択が行われていると判定した場合には、ステップＳ１４へと進み、ステップＳ１４では、選択された図形の移動であるか否かを判定する。図形の移動とは、選択された図形をペンで移動させる動作にて行うもので、図形の移動であれば、ステップＳ１５にて選択図形を移動先まで移動させる。
【００４８】
ステップＳ１４にて図形の移動ではないと判定した場合には、ステップＳ１６へと進む。ステップＳ１６では、図形を設定するモード（図形の設定を変更するモード）が選択されたか否かを判定し、このモードが選択されたと判定した場合には、ステップＳ１７に進む。ステップＳ１７では、選択図形の設定情報（線種、線色、塗り）を変更し、選択図形の表示をその変更した（設定し直した）設定情報に基づき表示し直す。ステップＳ１７に続き、この変更された設定情報は、次回の設定情報として使用できるように、対応図形のテーブルにおける表示形態情報を更新させておく。なお、ステップＳ１１，Ｓ１３，Ｓ１５，Ｓ１８の処理後、並びにステップＳ１６でＮＯの場合には、ステップＳ１に戻る。
【００４９】
以上、本発明に係る手書き図形認識装置について説明したが、その処理手順について説明したように、本発明は、手書き入力された手書きデータを図形認識し、表示パネルで例示した表示機器に表示する手書き図形認識方法としての形態もある。
【００５０】
この手書き図形認識方法は、記憶部が、図形認識が可能な複数の図形種類のそれぞれに対して、図形種類に属する図形を表示する際の表示形態を示す表示形態情報を記憶するステップと、図形認識部が、手書きデータを図形認識するステップと、表示制御部が、手書きデータに対して図形認識された図形の図形種類に対応する、記憶部に記憶された表示形態情報を読み出し、図形認識された図形を表示形態情報が示す表示形態で表示機器に表示させるステップと、を有する。その他の応用例や効果については、手書き図形認識装置について説明した通りであり、その説明を省略する。
【００５１】
また、本発明は、上記の手書き図形認識方法をコンピュータに実行させるための手書き図形認識プログラムとしての形態も採り得る。この手書き図形認識プログラムは、図４及び図５でその処理手順を例示したものであって、上記の制御プログラムに含まれるプログラムであり、上述したように制御部の記憶装置に格納され、制御部のＣＰＵ等により実行される。このような手書き図形認識プログラムにより、本発明に係る手書き図形認識に係る機能を実現できる。
【００５２】
また、本発明は、上記の手書き図形認識プログラムを記憶したコンピュータ読み取り可能な記録媒体としての形態も採り得る。この記録媒体としては、ＣＤ（Compact Disc）、ＤＶＤ（Digital Versatile Disc）、ＢＤ（Blu-ray Disc）、Universal Serial Bus（ＵＳＢ：登録商標）メモリ等の可搬の記録媒体が挙げられる。この形態では、上記の手書き図形認識プログラムを上記の記録媒体からコンピュータで読み出して実行することで、もしくは上記の記録媒体からコンピュータで読み出して制御部の記憶装置に格納しておいてその記憶装置から読み出して実行することで、本発明に係る手書き図形認識に係る機能を実現できる。
【符号の説明】
【００５３】
１０…制御部、１１…入力検出部、１２…座標検出部、１３…描画表示部、１４…モード選択部、１５…図形認識部、１６…図形判定部、１７…描画記憶部、１８…図形記憶部、１９…設定記憶部、２１…タッチパネル、２２…タッチパネル制御部、２３…表示パネル、２４…表示パネル制御部。
【図１】
2014029571.tif 000003
【図２】
2014029571.tif 000004
【図３】
2014029571.tif 000005
【図４】
2014029571.tif 000006
【図５】
2014029571.tif 000007